(57)【要約】【課題】  医療用チューブの変形を防止し、医療事故が生じるのを防止でき、また部品コストを抑えて安価に提供でき、更には医療用チューブへの取付作業を、簡単、迅速にできるようにする。【解決手段】  医療用チューブ１に取り付けて使用する。医療用チューブ１より剛性が大きく、且つ軟質性を有する帯状部材２でコイル形に形成する。本発明品は、医療用チューブ１に密着する太さに選定されているのが好ましい。また本発明は、医療用チューブ１より剛性が大きく、且つ軟質性と共に復元性を有する管状部材４で形成するのでも良い。この場合は、管状部材４の周面に、長さ方向に周面を絶つ一本の切れ目５を全長にわたって形成し、この切れ目５を介して管状部材４が長手方向と直交する方向に開閉自在になるよう形成する。【選択図】      図１
2019013406.tif 000002
【特許請求の範囲】
【請求項１】
医療用チューブに取り付けられ、医療用チューブの変形を防止するのに使用する医療用チューブの形状保持具であって、医療用チューブより剛性が大きく、且つ軟質性を有する帯状部材でコイル形に形成されていることを特徴とする医療用チューブの形状保持具。
【請求項２】
請求項１記載の医療用チューブの形状保持具であって、医療用チューブに密着する太さに選定されていることを特徴とする医療用チューブの形状保持具。
【請求項３】
医療用チューブに取り付けられ、医療用チューブの変形を防止するのに使用する医療用チューブの形状保持具であって、医療用チューブより剛性が大きく、且つ軟質性と共に復元性を有する管状部材で形成され、この管状部材の周面に、長さ方向に周面を絶つ一本の切れ目が全長にわたって形成され、この切れ目を介して管状部材が長手方向と直交する方向に開閉自在に形成されていることを特徴とする医療用チューブの形状保持具。
【発明の詳細な説明】
【技術分野】
【０００１】
本発明は、医療用チューブの形状保持具に関し、更に詳しくは点滴用チューブ等の医療用チューブの変形を防止し、医療事故の発生を防止できるよう形成した医療用チューブの形状保持具に関するものである。
【背景技術】
【０００２】
従来、この種の器具としては、例えば特許文献１に記載されているものがある。
この従来品は、可撓管に沿って配設する形状保持部材と、この形状保持部材を可撓管に着脱自在に固定するのに使用する固定部材とを備えて形成されている。
【０００３】
この場合、固定部材は、形状保持部材の長手方向に間隔をあけて複数設けられている。そして、この従来品は、固定部材を利用して、形状保持部材を可撓管に沿って取り付け、この形状保持部材で可撓管を所望の形状に変形、保持する構造である。
従って、これによれば、患者等の利用者が寝返りを打つなどして身体の向きを変えても、可撓管のずれを防止でき、吸引や点滴等に支障が生じることを防止できる。
【０００４】
しかし、特許文献１の従来品は、上記の通り、可撓管の形状を保持するための形状保持部材と共に、これを可撓管に固定するための固定部材とを備えて形成されていた。
従って、この従来品は、形状保持部材だけではなく、固定部材を備える分、部品数が増加した。それ故、これによれば、部品コストがかかり、製造に手間暇がかかったから、価格が高く付くのを避けられなかった。
【０００５】
またこの従来品は、上記の通り、固定部材で可撓管の要所を固定し、形状保持部材を可撓管に沿って取り付ける必要があった。
従って、これによると、形状保持部材の取り付け作業に手間暇がかかる、という問題点があった。
【先行技術文献】
【特許文献】
【０００６】
【特許文献１】実用新案登録第３１６１８４９号公報
【発明の概要】
【発明が解決しようとする課題】
【０００７】
本発明は、このような従来技術の問題点に鑑み、提案されたものである。
従って、本発明の解決しようとする技術的課題は、医療用チューブの変形を防止し、医療事故が生じるのを防止でき、また部品コストを抑えて安価に提供でき、更には医療用チューブへの取付作業を、簡単、迅速にできるよう形成した医療用チューブの形状保持具を提供することにある。
【課題を解決するための手段】
【０００８】
本発明は、上記の課題を解決するため、次のような技術的手段を採る。
即ち、本発明は、図１等に示されるように、医療用チューブ１に取り付けられ、医療用チューブ１の変形を防止するのに使用する医療用チューブ１の形状保持具であって、医療用チューブ１より剛性が大きく、且つ軟質性を有する帯状部材２でコイル形に形成されていることを特徴とする（請求項１）。
【０００９】
ここで、医療用チューブ１より剛性が大きく、とは、医療用チューブ１の形状を任意の形に、変更、保持できる、ということを意味する。帯状部材２の材質としては、例えば塩化ビニル、ポリエチレン等の合成樹脂材、銅合金等の金属材がある。本発明品は、医療用チューブ１に密着して外装される場合には限られず、医療用チューブ１を内包状に収納するよう形作られるのでも良い。
【００１０】
而して、この場合、本発明品は、医療用チューブ１に密着する太さに選定されているのが好ましい（請求項２）。
【００１１】
なぜならこれによると、医療用チューブ１の外周面に隙間なく巻き付けることができ、医療用チューブ１の形状の保持が容易になり、医療用チューブ１を任意の形状に形作り易くなるからである。
【００１２】
また本発明は、図４、図５に示されるように、構成されているのでも良い。
即ち、この本発明品は、医療用チューブ１に取り付けられ、医療用チューブ１の変形を防止するのに使用する医療用チューブ１の形状保持具であって、医療用チューブ１より剛性が大きく、且つ軟質性と共に復元性を有する管状部材４で形成され、この管状部材４の周面に、長さ方向に周面を絶つ一本の切れ目５が全長にわたって形成され、この切れ目５を介して管状部材４が長手方向と直交する方向に開閉自在に形成されていることを特徴とする（請求項３）。
【００１３】
本発明の場合、管状部材４は、通常、合成樹脂材で形成されるが、上例と同様、これには限られない。切れ目５は、直線状に形成されるのでも、波形に形成されるのでも良い。波形の場合は、噛み合うように医療用チューブ１を保持できるから、医療用チューブ１から外れにくくなる、という利点がある。
【００１４】
またここで、開閉自在に形成されている、とは、切れ目５を介して管状部材４を長手方向と直交する方向（外側方）に押し開き、その復元力で医療用チューブ１を内包状に装着できるよう管状部材４が形成されている、ということを意味する。
【発明の効果】
【００１５】
本発明は、このように形成されているから、医療用チューブを任意の形状に保持でき、また患者が暴れたり姿勢を変え、或いは寝相の悪さ等で医療用チューブに変形力が加わっても、医療用チューブがつぶれたり、折れ曲がることを防止できる。
従って、これによれば、医療用チューブの向きや薬液の流れを最適に調節でき、また薬液等の流れが阻害されて生じる医療事故の発生を防止できる。
【００１６】
また本発明は、帯状部材、或いは管状部材だけで形成されているから、これによれば、部品数が少なくて済み、その分、安価に製品を提供できる。
また本発明は、医療用チューブに帯状部材を巻き付けたり、管状部材を被せたりすることで装着できるから、これによれば、取付作業を、簡単、迅速にできる。
【図面の簡単な説明】
【００１７】
【図１】本発明の好適な一実施形態を示す一部を切欠した要部正面図である。
【図２】本発明品の使用状態時の一部を切欠した要部斜視図である。
【図３】本発明品の使用状態を示す要部斜視図である。
【図４】本発明品の他の構造を示す一部を切欠した要部斜視図である。
【図５】Ａは図４の本発明品の一部を切欠した要部正面図、ＢはＡのＢ―Ｂ線断面図である。
【図６】図４の本発明品の他の実施形態を示す要部拡大断面図である。
【発明を実施するための形態】
【００１８】
以下、本発明の好適な一実施形態を、添付図面に従って説明する。
本発明は、図１等に示されるように、医療用チューブ１に取り付けられ、医療用チューブ１の変形を防止するのに使用する医療用チューブ１の形状保持具である。
【００１９】
本発明品は、医療用チューブ１より剛性が大きく、且つ軟質性を有する帯状部材２でコイル形に形成されている。この実施形態の場合、帯状部材２は、合成樹脂材で形成され、本発明品は医療用チューブ１に密着する太さに選定されている。具体的には、医療用チューブ１の外径が６ｍｍ、コイル形の本発明品の内径が６ｍｍに選定されている。
【００２０】
またこの実施形態の場合、帯状部材２の幅Ｄ（図２参照）は、医療用チューブ１の直径と同一に選定されている。これにより、隙間を大きくあけることなく、密に巻き付けることができ、その分、医療用チューブ１の形状を保持できる。
【００２１】
次に、この実施形態の本発明品の使用例を、図２、図３に従って説明する。
【００２２】
先ず、使用者は、図２に示されるように、医療用チューブ１に帯状部材２を巻き付ける。この実施形態の本発明品は、医療用チューブ１に密着する太さに選定されているため、医療用チューブ１に巻き付けると、密着状に取り付けられる。
【００２３】
図３は、医療用チューブ１が点滴用チューブの例である。同図において、３は、点滴筒である。
【００２４】
而して、帯状部材２は、医療用チューブ１より剛性が大きく、且つ軟質性を有するため、巻き付け後、薬液等の流れが円滑になるよう医療用チューブ１を任意の形に変えることができる。また本発明品は、患者等の身体が、医療用チューブ１に触れ、医療用チューブ１に力が加わっても、医療用チューブ１がつぶれたり、折れ曲がることを防止できる。
【００２５】
従って、これによると、医療用チューブ１の形状を保持でき、つぶれや折れ曲がりで薬液等の流れが阻害されて起きる医療事故を防止できる。また本発明品は、医療用チューブ１に巻き付けることで装着できるから、これによれば、簡単、迅速に取り付けることができる。
【００２６】
以上の処において、本発明は、図４、図５に示されるように形成されているのでも良い。
【００２７】
この本発明品は、上例と同様、医療用チューブ１に取り付けられ、医療用チューブ１の変形を防止するのに使用する医療用チューブ１の形状保持具である。そして、この本発明品は、医療用チューブ１より剛性が大きく、且つ軟質性と共に復元性を有する管状部材４で形成されている。
【００２８】
管状部材４は、この実施形態では合成樹脂材で形成され、内径は、医療用チューブ１の外径より大きく選定されている。
また管状部材４は、その周面に、長さ方向に周面を絶つ一本の切れ目５が全長にわたって形成されている。そして、管状部材４は、この切れ目５を介して長手方向と直交する方向に開閉自在に形成されている。
【００２９】
この本発明品を使用するときは、使用者は、先ず、切れ目５を介して管状部材４を押し開く。次に、使用者は、医療用チューブ１を内包するよう、管状部材４を医療用チューブ１に被せ、切れ目５から手指を離す。
【００３０】
管状部材４は、上記の通り、復元性を有している。従って、管状部材４を医療用チューブ１に被せ、切れ目５から手指を離すと、管状部材４は復元し、医療用チューブ１を収納する。
【００３１】
而して、管状部材４は、医療用チューブ１より剛性が大きく、且つ軟質性を有している。従って、この本発明品によると、医療用チューブ１を任意の形状に保持でき、また医療用チューブ１のつぶれや折れ曲がり等の変形を防止できる。
【００３２】
またこの本発明の場合は、管状部材４が、図６に示されるように、医療用チューブ１に密着するよう内径が選定されているのでも良い。この場合は、本発明品を医療用チューブ１に被せて取り付けるだけで、管状部材４の位置ずれを防止できる。従って、これによれば、医療用チューブ１の所定位置に、本発明品を、迅速、且つ簡単に取り付けることができる。
【符号の説明】
【００３３】
１      医療用チューブ
２      帯状部材
３      点滴筒
４      管状部材
５      切れ目
Ｄ      幅
【図１】
2019013406.tif 000003
【図２】
2019013406.tif 000004
【図３】
2019013406.tif 000005
【図４】
2019013406.tif 000006
【図５】
2019013406.tif 000007
【図６】
2019013406.tif 000008